(57)【要約】【課題】本発明の目的は、レンジフードの設置位置調整を簡易に行うことができるとともに、圧力損失を抑制することが可能なレンジフード用アダプタ部材及びこれを備えたレンジフードを提供することにある。【解決手段】  レンジフードＳと排気ダクトＤとを連結するためのレンジフード用アダプタ部材２２に関する。  レンジフード用アダプタ部材２２には、排気ダクトＤの開口形状と整合する開口部２２ａが中心部よりも偏心した位置に形成されており、この開口部２２ａは、レンジフードＳ側の排気用開口部２１ａと連通するように配設されるとともに、レンジフード用アダプタ部材２２を反転させることにより、排気ダクトＤのレンジフードＳ側開口部の位置と整合する位置に調整可能である。【選択図】図１
2010107120.tif 000002
【特許請求の範囲】
【請求項１】
レンジフードと排気ダクトとを連結するためのレンジフード用アダプタ部材であって、
該レンジフード用アダプタ部材には、前記排気ダクトの開口形状と整合する開口部が、中心部よりも偏心した位置に形成されており、
前記開口部は、前記レンジフード側の排気用開口部と連通するように配設されるとともに、前記レンジフード用アダプタ部材を反転させることにより、前記排気ダクトの前記レンジフード側開口部の位置と整合する位置に調整可能であることを特徴とするレンジフード用アダプタ部材。
【請求項２】
レンジフードと排気ダクトとを連結するためのレンジフード用アダプタ部材であって、
該レンジフード用アダプタ部材には、前記排気ダクトの開口形状と整合する開口部と、ルーズホールとして構成された螺子孔が少なくとも一つ形成されており、
前記開口部は、前記レンジフード側の排気用開口部と連通するように配設されるとともに、前記螺子孔のルーズホールが延びる方向へと移動させることにより、前記排気ダクトの前記レンジフード側開口部の位置と整合する位置に調整可能であることを特徴とするレンジフード用アダプタ部材。
【請求項３】
前記レンジフード側の前記排気用開口部は、前記開口部の移動軌跡と整合する略楕円形状に形成されており、
前記開口部は、前記排気用開口部に沿って移動可能であることを特徴とする請求項１又は請求項２に記載のレンジフード用アダプタ部材。
【請求項４】
請求項１乃至請求項３に記載のレンジフード用アダプタ部材が備えられたことを特徴とするレンジフード。
【請求項５】
コンロ面と対向するとともに、前記レンジフード用アダプタ部材と略垂直に延びる側に配設される底板には、整流板が立設されており、
前記底板は、該底板と積層されて配設される入口用スライド板に対して、スライド移動することが可能であり、
前記整流板は、前記底板のスライド移動に伴い、排気ダクトとの距離を変化させる方向へとその位置を変えることを特徴とする請求項４に記載のレンジフード。
【請求項６】
前記入口用スライド板の、前記底板が移動する方向に沿う相対向する二辺上には、略Ｕ字形状に屈曲する爪部が形成されており、
前記底板の、その移動方向に沿う相対向する二辺は、前記爪部にスライド可能に配設されることを特徴とする請求項５に記載のレンジフード。
【請求項７】
前記入口用スライド板には、ルーズホールとして構成された螺子孔が少なくとも一つ形成されており、
前記底板の位置は、前記螺子孔に沿って調整可能であることを特徴とする請求項５に記載のレンジフード。
【発明の詳細な説明】
【技術分野】
【０００１】
本発明は、住宅のキッチン等に備えられるレンジフード用アダプタ部材及びこれを備えたレンジフードに関し、特に、排気ダクトとの接続の自由度を大きくすることができるレンジフード用アダプタ部材及びこれを備えたレンジフードに関するものである。
【背景技術】
【０００２】
キッチンに配設されるレンジから発生する湯気、煙等を室外に排出するために、一般的に、換気装置が広く普及している。
この換気装置には、様々な形状のものがあるが、現在、広く使用されているシステムキッチン等においては、レンジフードにより換気のための部品や配管等を効率よく被覆するとともに、換気機能を充実させるケースが多い。
【０００３】
しかし、排気ダクトは、予め施工されている場合が多い。
このような場合に、レンジフードを後付けすることとなると、位置ズレが生じている場合も多く、この位置ズレを調整するのに手間がかかり、耐久性を低下させる可能性を否定することができない。
このような状況下、排気ダクトとの接合位置を調整する技術が提案されている（例えば、特許文献１）。
【０００４】
特許文献１には、レンジフードファンが開示されている。
特許文献１においては、排気ダクトに負荷をかけることなく、排気ダクトとの位置ズレ調整が簡易に行えるレンジフードファンが開示されている。
この技術においては、接手が円筒部とその円筒部の一端部に形成される円環状のスライドフランジとで構成されており、この円筒部の自由端部側がダクト端部に嵌入されるとともに、スライドフランジがレンジフードファンの天面側に配設される。
【０００５】
レンジフードファンの天面には、排気用の開口部付近を円環状に囲むように凹部が形成されており、排気用の開口部と整合する開口を有する円環状の蓋体を取付けると、この凹部が空間となる。
この空間にスライドフランジを遊嵌することにより、接手の位置を若干量移動させることができる。
つまり、この凹部内をスライドフランジが移動することにより、このスライドフランジ上に立上る円筒部もまた同様の軌跡を描いて移動するため、位置の微調整を行うことができる。
【０００６】
【特許文献１】特開平０９−１４５１１４号公報
【発明の開示】
【発明が解決しようとする課題】
【０００７】
しかし、共同住宅又は住宅で使用するレンジフードに対しては、排気ダクトの接続方向が背面用及び側面用とが存在する。
また、建物の外観デザインとのかねあいで、所謂「目地合せ」という調整を行う必要がる。
しかし、特許文献１の記載の技術では、接手を遊嵌する構成であるため、数センチ程度のズレを吸収するためには、非常に都合が良いが、様々な状況に適したズレを調整することができなかった。
【０００８】
なお、レンジフードを所定の位置に設置するためには、位置調整のために、レンジフード幕板内部でジャバラと称される伸縮性ダクト（フレキシブルダクト）を使用する方法が考えられる。
しかし、防火上の安全強化策として、共同住宅でのジャバラの使用は好ましくなく、一部の地方自治体においては、全面的に禁止の方向で指導されている。
この流れを受けて、全国的にも使用が厳しく制限される可能性を否定することはできない。
【０００９】
また、ダクト延長による排気の場合には、９０度エルボや４５度エルボを組合わせて調整を行うことができるが、レンジフードを直接外壁面に設置して排気する場合には、これらを組合わせることによる調整を行うことができない。
【００１０】
本発明の目的は、上記各問題点を解決することにあり、レンジフードの設置位置調整を簡易に行うことができるとともに、圧力損失を抑制することが可能なレンジフード用アダプタ部材及びこれを備えたレンジフードを提供することにある。
【課題を解決するための手段】
【００１１】
上記課題は、請求項１に係るレンジフード用アダプタ部材によれば、レンジフードと排気ダクトとを連結するためのレンジフード用アダプタ部材であって、該レンジフード用アダプタ部材には、前記排気ダクトの開口形状と整合する開口部が、中心部よりも偏心した位置に形成されており、前記開口部は、前記レンジフード側の排気用開口部と連通するように配設されるとともに、前記レンジフード用アダプタ部材を反転させることにより、前記排気ダクトの前記レンジフード側開口部の位置と整合する位置に調整可能であることにより解決される。
【００１２】
上記課題は、請求項２に係るレンジフード用アダプタ部材によれば、レンジフードと排気ダクトとを連結するためのレンジフード用アダプタ部材であって、該レンジフード用アダプタ部材には、前記排気ダクトの開口形状と整合する開口部と、ルーズホールとして構成された螺子孔が少なくとも一つ形成されており、前記開口部は、前記レンジフード側の排気用開口部と連通するように配設されるとともに、前記螺子孔のルーズホールが延びる方向へと移動させることにより、前記排気ダクトの前記レンジフード側開口部の位置と整合する位置に調整可能であることにより解決される。
【００１３】
このように、本発明によるレンジフード用アダプタ部材によれば、排気ダクトの開口部と、レンジフード側の排気用開口部とを接続する際に、位置調整を行うことができる。
つまり、レンジフード用アダプタ部材の開口部を移動させて、排気ダクトの開口部と整合する位置に調整することによって、レンジフード側の排気用開口部と排気ダクト開口部との間の位置ズレを補正することができる。
よって、所謂ジャバラのような配管を使用する必要がなくなる。
また、レンジフード用アダプタ部材とレンジフードとの接合は、レンジフード用アダプタ部材を反転することにより、若しくは、ルーズホールとして形成された螺子孔により行うことができるため、簡易に位置調整を行うことができる。
【００１４】
また、請求項２に記載の発明において、前記レンジフード側の前記排気用開口部は、前記開口部の移動軌跡と整合する略楕円形状に形成されており、前記開口部は、前記排気用開口部に沿って移動可能であると好適である。
【００１５】
このように構成されているため、レンジフード用アダプタを移動させたときに、レンジフード用アダプタ部材の開口部とレンジフード側の排気用開口部との連通孔の一部が閉塞されることを防止することができる。
つまり、レンジフード用アダプタ部材の開口部がレンジフード側の排気用開口部周辺部の壁で閉塞されることを防止することができ、開口面積を確保することができる。
【００１６】
更に、本発明に係るレンジフードは、コンロ面と対向するとともに、前記レンジフード用アダプタ部材と略垂直に延びる側に配設される底板には、整流板が立設されており、前記底板は、該底板と積層されて配設される入口用スライド板に対して、スライド移動することが可能であり、前記整流板は、前記底板のスライド移動に伴い、排気ダクトとの距離を変化させる方向へとその位置を変えることができるよう構成されている。
【００１７】
このように、ダクトの開口部の位置に応じて、整流板の位置もまた調整することが可能となるため、空気溜まりが発生することを防止することができ、円滑に空気の流れを形成することが可能となる。
このため、品質の高いレンジフードを提供することができる。
【００１８】
更に、このとき、前記入口用スライド板の、前記底板が移動する方向に沿う相対向する二辺上には、略Ｕ字形状に屈曲する爪部が形成されており、前記底板の、その移動方向に沿う相対向する二辺は、前記爪部にスライド可能に配設されるよう構成されていると好適である。
【００１９】
また、このとき、前記入口用スライド板には、ルーズホールとして構成された螺子孔が少なくとも一つ形成されており、前記底板の位置は、前記螺子孔に沿って調整可能であるよう構成されていると好適である。
【００２０】
このように構成されているため、底面板の位置を簡易に調整することが可能となり、これに伴い、底面板から立設している整流板の位置も自動的に調整される。
よって、簡易に整流板の位置が調整可能となり、施工性が向上するとともに、品質の高いレンジフードを提供することができる。
【発明の効果】
【００２１】
本発明によれば、排気ダクトの開口部と、レンジフード側の排気用開口部とを接続する際に、排気ダクト開口部とレンジフード側の排気用開口部との位置が完全に対面していなくても、位置調整を行うことにより、簡易に両者を接続することができる。
つまり、レンジフード用アダプタ部材の開口部を移動させて、排気ダクトの開口部と整合する位置に調整することによって、レンジフード側の排気用開口部と排気ダクト開口部との間の位置ズレを補正することができる。
よって、所謂ジャバラのような配管を使用する必要がなくなる。
このため、防火性が向上するとともに、ジャバラをつなぐ手間を省くことができ施工性が向上する。
また、レンジフード用アダプタ部材とレンジフードとの接合は、反転方式若しくはルーズホールとして形成された螺子孔により行うことができるため、簡易に位置調整を行うことができる。
【００２２】
更に、レンジフード側の排気用開口部は、開口部の移動軌跡と整合する略楕円形状に形成されており、開口部はこの排気用開口部に沿って移動可能に構成されている。
このため、レンジフード用アダプタを移動させたときに、レンジフード用アダプタ部材の開口部とレンジフード側の排気用開口部との連通孔の一部が閉塞されることを防止することができる。
つまり、レンジフード用アダプタ部材の開口部がレンジフード側の排気用開口部周辺部の壁で閉塞されることを防止することができ、開口面積を確保することができる。
このように、レンジフード用アダプタ部材の開口部を移動させたことにより、開口面積が狭小になったり、無駄な空隙が生じたりすることを防止することができるため、圧力損失を抑制することができる。
【００２３】
また、このレンジフード用アダプタ部材には、整流板が備えられており、この整流板の位置も、爪部によりスライド方式若しくはルーズホールにより、簡易に調整可能である。
このため、適正な位置へ整流板が配設されることとなり、高品質の製品を提供することが可能となるとともに、施工性も向上する。
【発明を実施するための最良の形態】
【００２４】
以下、本発明の一実施形態を図面に基づいて説明する。
なお、以下に説明する構成は本発明を限定するものでなく、各部材の材質・配置等、本発明の趣旨の範囲内で種々改変することができるものである。
本実施形態は、レンジフードの設置位置調整を簡易に行うことができるとともに、圧力損失を抑制することが可能なレンジフード接続アダプタ及びこのレンジフード接続アダプタを備えたレンジフードに関するものである。
【００２５】
（第１の実施形態）
図１乃至図１４は、本発明に係る一実施形態を示すものであり、図１はレンジフード及びその周辺部の説明図、図２はレンジフード本体部の構成を示す平面図、図３はスライド方式の入口用スライド板と底板の構成を示す説明図、図４はスライド式の入口用スライド板の機能を示す説明図、図５は整流板の機能を示す説明図、図６はレンジフード本体部の構成を示す背面方向立面図、図７は背面板を示す平面図、図８は出口用接続板を示す平面図、図９は反転方式の出口用接続板を示す平面図、図１０は反転方式の出口用接続板の機能を示す説明図、図１１は底面部と背面部との取付方法を示す説明図、図１２はレンジフード本体部の構成を示す側面方向立面図、図１３及び図１４はスライド方式の出口用接続板の調整状態を示す説明図である。
【００２６】
図１に、本実施形態に係るレンジフードＦの説明図を示す。
本実施形態に係るレンジフードＦは、住宅のキッチンスペースに設置される排気装置であり、湯気、油等を吸引して室外へと排出する。
図１に示すように、本実施形態に係るレンジフードＦは、レンジフード本体部Ｓが筺体部Ｋに外周を囲われており、外部より内部構造が視認できないように構成されている。
【００２７】
この筺体部Ｋ内に、レンジフード本体部Ｓが配設されている。
他の空間には、必要に応じて、照明装置等の装置や必要な各配線群が配設される。
レンジフード本体部Ｓの底面側には、室内と連通する吸気口が形成されるとともに、背面部には排気ダクトＤが連結されている。
【００２８】
この排気ダクトＤは、外壁の設置された排気口Ｈに連結されている。
よって、吸気口から室内側より吸い上げた煙、湯気、油等を排気ダクトＤを介して排気口Ｈより排出することができる。
なお、レンジフード本体部Ｓには、図示しないファンが取付けられており、このファンを駆動することによって、吸気口から煙、湯気、油等を効率良く吸気するとともに、排気ダクトＤへと効率良く送り出すよう構成されている。
【００２９】
以下、各図面を参照して、レンジフード本体部Ｓの構成を説明する。
本実施形態に係るレンジフード本体部Ｓは、底面部１、背面部２、天面部３、側面部４，４、前面部５を有して構成された略直方体形状の筺体に、各種構成要素が内装されて構成されている。
【００３０】
図２に示すように、本実施形態に係るレンジフード本体部Ｓの底面部１は、入口用スライド板１１、底板１２、を有して構成されている。
本実施形態に係る入口用スライド板１１は、略中央部に略円形状の入口開口部１１ａが形成された板体である。
この入口用スライド板１１の一長辺近辺には、複数のネジ孔１１ｂが等間隔に並設されている。
【００３１】
本実施形態に係る底板１２は、略矩形状の板体であり、その略中央部には、略矩形状の底板開口部１２ａが形成されている。
この底板開口部１２ａは、一頂角は、入口開口部１１ａの円弧に沿うように頂角略９０度の円弧状に湾曲している。
また、この底板１２の一長辺近辺には、複数のネジ孔１２ｂが等間隔に並設されているとともに、３個の接合長孔１２ｃが並設されている。この接合長孔１２ｃは、所謂ルーズホールとなっている。
【００３２】
なお、入口用スライド板１１と底板１２とが組み合わされて（螺設されて）、底面部１が形成される。このとき底板開口部１２ａの円弧状の一頂角が、入口開口部１１ａの円弧に沿うように組合される。
この接合長孔１２ｃの位置をずらすことにより、入口用スライド板１１に対して、底板１２の位置をずらすことができる。
つまり、入口用スライド板１１と底板１２との相対位置を変えて、両者を組み合わせることができる。
【００３３】
また、この入口用スライド板１１と底板１２の構成は、これに限られるものではなく、スライドして両者の相対的位置関係を調整可能であれば、どのように構成されていてもよい。
この改変例として図３の方式を例示する。
改変例に係る入口用スライド板１１の長辺側には、爪部１１１，１１１が形成されている。
この爪部１１１は、上方へ向かい、略Ｊ字形状に屈曲するように形成されている。
底板１２は、この爪部１１１,１１１により形成される間隙内部をスライドし、このスライドにより、入口用スライド板１１と底板１２の相対的位置関係が変化する。
【００３４】
なお、この入口開口部１１ａ及び底板開口部１２ａ上部（レンジフード本体部Ｓ内部側）には、図示しないファンブレードが配設される。
このように、室内で発生した煙、湯気、油等は、この入口開口部１１ａ及び底板１２ａより、レンジフード本体部Ｓ内部へと吸引される。
【００３５】
また、この底板１２には、出口用整流板Ｅが形成されている。
この出口用整流板Ｅは、底板１２の一頂角部分に、入口開口部１１ａの円弧に沿うように形成された頂角略９０度の円弧状の開口部周縁に沿って立設している。
図４に示すように、図４（ａ）の位置から図４（ｂ）の位置へ、この底板１２をスライドさせることにより、このスライドに伴い、整流板Ｅもまた、同方向へと移動することとなる。
【００３６】
このように、整流板Ｅを移動させたときの、整流板Ｅの機能を、図５により説明する。
図５（ａ）は、整流板Ｅが、出口側の開口部より離隔した位置にある場合を示す図である。
このように整流板Ｅと出口側の開口部との間の距離が大きく構成されていると、この空間で、空気が渦巻き状に滞留して空気溜まりができる。
このため、空気流に障害が生じ、空気の流れが滞る。
しかし、図５（ｂ）に示すように、底板１２を移動させて整流板Ｅの位置を、出口側の開口部に近づければ、整流板Ｅと出口側の開口部との間の距離が小さくなる。
このため、空気が渦巻き状に滞留して空気溜まりができることが防止され、空気の流れが円滑になる。
【００３７】
図６に示すように、本実施形態に係る背面部２は、背面板２１、レンジフード用アダプタ部材としての出口用接続板２２を有して構成されている。
図７に示すように、本実施形態に係る背面板２１は、略矩形状の平板であり、略中央部より若干ずれた位置に、排気用開口部としての排出孔２１ａが形成されている。
この排出孔２１ａは、略楕円形状に形成されている。
つまり、排気ダクトＤの断面形状の円を水平方向に移動した際に描く軌跡分の孔が形成されることとなる。
【００３８】
図８に示すように、本実施形態に係る出口用接続板２２は、略矩形状の平板であり、略中央部には開口部としてのダクト接続口２２ａが形成されている。
本実施形態に係るダクト接続口２２ａは、出口用接続板２２の略中央部に形成された孔から起立する円筒として形成されている。
また、この出口用接続板２２の４隅には各々、螺子孔としての背面接続孔２２ｂが形成されている。
この背面接続孔２２ｂは、水平方向に延びるルーズホールとして形成される。
【００３９】
この出口用接続板２２は、ダクト接続口２２ａが、背面版２１に形成された排出孔２１ａからレンジフード本体部Ｓの外側方向に突出するように配設される。
この際、背面接続孔２２ｂはルーズホールとなっているため、出口用接続板２２は、背面板２１に対して水平方向へずらして固定することが可能となる。
この出口用接続板２２に関しては、後述する。
また、この出口用接続板２２のダクト接続口２２ａには、直接又は間接的に排気ダクトＤの端部と接続される。
【００４０】
なお、出口用接続板２２は、タクト接続口２２ａの位置を移動させることができる形態であれば、必ずしも上記ルーズホール方式である必要はない。
つまり、反転方式であってもよい。
この反転方式に使用される出口用接続板２２の構成を、図８及び図９により説明する。
図９に示すように、反転方式の出口陽接続板２２は、中心よりも若干片側へ寄った位置にダクト接続口２２ａが形成されている。
この方式では、ルーズホールは不要であるため、背面接続孔２２ｂは存在しない。
【００４１】
この出口用接続板２２は、図１０（ａ）の状態から反転させると、図１０（ｂ）の状態へと変わる。
このため、ダクト接続口２２ａは、距離ｘの分移動することとなる。
つまり、この反転方式によると、出口用接続板２２を反転させることによって、距離ｘの分ダクト接続口２２ａの位置を移動させることができることとなる。
このように、反転方式の出口用接続板２２を使用すると、図１１に示すように、ダクトＤの位置に合わせて、出口用接続板２２を反転させて背面板２１に固定するとともに、底板１２の位置を入口用スライド板１１に対して移動させて、整流板Ｅを最適な位置に配置した状態で底板１２を固定することができる。
【００４２】
また、図１２に示すように、本実施形態に係る天面部３及び側面部４，４は、略矩形状の平板であり、レンジフード本体部Ｓの天面部分及び側面部分の隔壁となる。
本実施形態に係る前面部５は、略矩形状の板体の下端部分を略垂直に屈曲させた略Ｌ字形状の部材である。
【００４３】
前面部５は、前面被覆部５１、底部接続部５２を有して構成されている。
前面被覆部５１は、略矩形状の部分であり、レンジフード本体部Ｓの前面部分を被覆する。
底部接続部５２は、前面被覆部５１の下端部から略垂直に屈曲した部分であり、両端に各々切り欠き部５２ａ，５２ａが形成されている。
また、この切り欠き部５２ａ，５２ａの中間部分には前面接続孔５２ｂが形成されている。
【００４４】
この底部接続部５２は、底板１２に積層されて前面接続孔５２ｂから螺子により螺設される。
また、切り欠き部５２ａ，５２ａからは、底板１２の両端部に形成される接合長孔１２ｃ，１２ｃが露出する。
このように、本実施形態においては、底板１２から前面部５が略垂直に立上る。
【００４５】
図１３及び図１４により、本実施形態に係るスライド方式の出口用接続板２２の機能について説明する。
図１３及び図１４に示すように、出口用接続板２２の位置は、背面板２１上で調整することができる。
つまり、図１４に示すように、出口用接続板２２は、ルーズホールとなっている背面接続孔２２ｂから留めつけられるため、排気ダクトＤの位置に応じてその位置を調整することができる。
【００４６】
また、背面板２１に形成された排出孔２１ａは、円の移動軌跡を描く略楕円形状に形成されているため、この排出孔２１ａの範囲内であれば、排出孔２１ａとダクト接続孔２２ａとの連通部分が遮蔽されて狭小になることなく、予め設定された開口面積を確保することができる。
【００４７】
換言すれば、背面板２１に対して出口用接続板２２を移動させることによって、排気ダクトＤとレンジフード本体部Ｓの連通開口の位置を調整することができるとともに、その連通開口の開口面積を規定の面積に確保することができる。
【００４８】
また、予め出口用接続板２２を背面板２１に仮止めしておけば、螺子を弛めてルーズホールとなっている背面接続孔２２ｂ内での螺子位置を調整することにより、施工現場において簡易に出口用接続板２２の位置を調整することができる。
また、排出孔２１ａの形状及び背面接続孔２２ｂの形状を変更することにより、調整可能範囲を変更することができる。
【図面の簡単な説明】
【００４９】
【図１】本発明の一実施形態に係るレンジフード及びその周辺部の説明図である。
【図２】本発明の一実施形態に係るレンジフード本体部の構成を示す平面図である。
【図３】本発明の一実施形態に係るスライド方式の入口用スライド板と底板の構成を示す説明図である。
【図４】本発明の一実施形態に係るスライド式の入口用スライド板の機能を示す説明図である。
【図５】本発明の一実施形態に係る整流板の機能を示す説明図である。
【図６】本発明の一実施形態に係るレンジフード本体部の構成を示す背面方向立面図である。
【図７】本発明の一実施形態に係る背面板を示す平面図である。
【図８】本発明の一実施形態に係る出口用接続板を示す平面図である。
【図９】本発明の一実施形態に係る反転方式の出口用接続板を示す平面図である。
【図１０】本発明の一実施形態に係る反転方式の出口用接続板の機能を示す説明図である。
【図１１】本発明の一実施形態に係る底面部と背面部との取付方法を示す説明図である。
【図１２】本発明の一実施形態に係るレンジフード本体部の構成を示す側面方向立面図である。
【図１３】本発明の一実施形態に係るスライド方式の出口用接続板の調整状態を示す説明図である。
【図１４】本発明の一実施形態に係るスライド方式の出口用接続板の調整状態を示す説明図である。
【符号の説明】
【００５０】
１  底面部
１１  入口用スライド板
１１ａ  入口開口部
１１ｂ  ネジ孔
１１１  爪部
１２  底板
１２ａ  底板開口部
１２ｂ  ネジ孔
１２ｃ  接合長孔
２  背面部
２１背面板
２１ａ  排出孔
２２  出口用接続板
２２ａ  ダクト接続口
２２ｂ  背面接続孔
３  天面部
４  側面部
５  前面部
５１  前面被覆部
５２  底部接続部
５２ａ  切り欠き部
５２ｂ  前面接続孔
Ｄ  排気ダクト
Ｅ  出口用整流板
Ｆ  レンジフード
Ｈ  排気口
Ｋ  筺体部
Ｓ  レンジフード本体部
【図１】
2010107120.tif 000003
【図２】
2010107120.tif 000004
【図３】
2010107120.tif 000005
【図４】
2010107120.tif 000006
【図５】
2010107120.tif 000007
【図６】
2010107120.tif 000008
【図７】
2010107120.tif 000009
【図８】
2010107120.tif 000010
【図９】
2010107120.tif 000011
【図１０】
2010107120.tif 000012
【図１１】
2010107120.tif 000013
【図１２】
2010107120.tif 000014
【図１３】
2010107120.tif 000015
【図１４】
2010107120.tif 000016